(57)【要約】【課題】婦人靴においてトップリフトの構造を工夫することで、安定感があり、かつ、快適に歩行できるようにすることである。【解決手段】婦人靴のヒール本体に交換可能に固定するためのピン２と、接地面３０を有するリフト本体３とを備えたトップリフト１であって、リフト本体３は前記ピン２を設けた樹脂製の硬質部５と、硬質部５よりも硬度の小さい樹脂製の軟質部４とを備え、軟質部４は、接地面３０の後端部３０Ｅにおいて足の幅方向Ｄ１の全域にわたって設けられた緩衝部４０と、接地面３０の前部３０Ｆの幅方向Ｄ１の中央に配置され路面に対し接地面３０が滑るのを抑制する防滑部４１とを有し、硬質部５の接地面３０は前部３０Ｆにおいて防滑部４１の内側および外側に配置された支持部５０を形成し、かつ、内側および外側の端５０Ｅまで設けられている。【選択図】図１
2014158538.tif 000002
【特許請求の範囲】
【請求項１】
婦人靴のヒール本体に交換可能に固定するためのピン２と、接地面３０を有するリフト本体３とを備えたトップリフト１であって、
前記リフト本体３は前記ピン２を設けた樹脂製の硬質部５と、前記硬質部５よりも硬度の小さい樹脂製の軟質部４とを備え、
前記軟質部４は、前記接地面３０の後端部３０Ｅにおいて足の幅方向Ｄ１の全域にわたって設けられた緩衝部４０と、前記接地面３０の前部３０Ｆの前記幅方向Ｄ１の中央に配置され路面に対し接地面３０が滑るのを抑制する防滑部４１とを有し、
前記硬質部５の接地面３０は前記前部３０Ｆにおいて前記防滑部４１の内側および外側に配置された支持部５０を形成し、かつ、内側および外側の端５０Ｅまで設けられている、トップリフト１。
【請求項２】
請求項１において、前記緩衝部４０の幅Ｗ０が前記防滑部４１の幅Ｗ１よりも大きい、トップリフト１。
【請求項３】
請求項１において、
前記リフト本体３の前部３Ｆにおいて、前記防滑部４１よりも上方の中央部３２が前記硬質部５で形成され、かつ、前記中央部３２は前記防滑部４１の上方からリフト本体３の上面３１まで前記硬質部５で形成されている、トップリフト１。
【請求項４】
請求項３において、前記リフト本体３の上面３１における前記ピン２の周囲が前記硬質部５で形成されるように、前記硬質部５は接地面３０よりも前記上面３１の方が面積が大きい、トップリフト１。
【請求項５】
請求項１〜４のいずれか１項において、前記防滑部４１の接地面３０と前記緩衝部４０の接地面３０とが互いに連なっている、トップリフト１。
【請求項６】
請求項１〜５のいずれか１項において、前記リフト本体３の前部３Ｆにおいて前記防滑部４１の接地面３０が前後方向Ｄ２に延び、前記リフト本体３の後部３Ｒにおいて前記緩衝部４０の接地面３０は前記前部３Ｆの防滑部４１の後端４１Ｅから足の内側および外側に広がる扇形状に形成されている、トップリフト１。
【請求項７】
請求項１〜６のいずれか１項において、前記軟質部４は前記後端部３０Ｅにおいて前記接地面３０から上面３１まで延びている、トップリフト１。
【請求項８】
請求項７において、前記緩衝部４０は上方に向かうに従い後方に向かう傾斜面４２を有し、この傾斜面４２を介して前記硬質部５に接している、トップリフト１。
【請求項９】
婦人靴のヒール本体に交換可能に固定するための１本又は複数本のピン２と、接地面３０を有するリフト本体３とを備えたトップリフト１であって、
前記リフト本体３は前記ピン２を設けた樹脂製の硬質部５と、前記硬質部５よりも硬度の小さい樹脂製の軟質部４とを備え、
前記軟質部４は接地面３０の後端部３０Ｅから上方に向かって延びる緩衝部４０を有し、
前記硬質部５は接地面３０の前部３０Ｆにおいて足の内側および外側に配置され、かつ、前記足の内側および外側の端５０Ｅから上方に向かって前記リフト本体３の上面３１まで延びる支持部５０を有し、
リフト本体３の上面３１における前記ピン２の周囲が前記硬質部５で形成されるように、前記硬質部５の前記接地面３０の面積よりも前記硬質部５の前記上面３１の面積の方が大きい、トップリフト１。
【請求項１０】
請求項９において、前記緩衝部４０は上方に向かうに従い後方に向かう傾斜面４２を有し、この傾斜面４２を介して前記硬質部５に接している、トップリフト１。
【請求項１１】
請求項９もしくは１０において、前記硬質部５と前記軟質部４との間において上下方向に延びる界面４２には、前記界面４２の一部が前後方向に突出ないし窪んでいることにより前記軟質部４が前記硬質部５と上下方向に係合するための凸部４３、凹部４４または段部４５が設けられている。
【発明の詳細な説明】
【技術分野】
【０００１】
本発明は婦人靴のヒール本体に交換可能に装着されるトップリフトに関する。
【背景技術】
【０００２】
近年、高く、かつ、細いヒールシルエットが求められている。そのため、婦人靴の本底に固定されたヒール本体は高く、かつ、細くなる。このヒール本体が高く、かつ、細くなるほど安定性が低下するため歩行時にグラついてしまう。
また、華奢になるほどヒール本体に高い剛性が必要になるため、ヒール本体の構造を工夫することは困難である。
【先行技術文献】
【特許文献】
【０００３】
【特許文献１】ＪＰ０８−１０００７Ａ（要約）
【特許文献２】ＪＰ２００８−２６４１４３Ａ（要約）
【発明の概要】
【０００４】
したがって、本発明の目的は婦人靴においてトップリフトの構造を工夫することで、安定感があり、かつ、快適に歩行できるようにすることである。
【０００５】
本発明の１つの態様は、婦人靴のヒール本体に交換可能に固定するためのピン２と、接地面３０を有するリフト本体３とを備えたトップリフト１であって、
前記リフト本体３は前記ピン２を設けた樹脂製の硬質部５と、前記硬質部５よりも硬度の小さい樹脂製の軟質部４とを備え、
前記軟質部４は、前記接地面３０の後端部３０Ｅにおいて足の幅方向Ｄ１の全域にわたって設けられた緩衝部４０と、前記接地面３０の前部３０Ｆの前記幅方向Ｄ１の中央に配置され路面に対し接地面３０が滑るのを抑制する防滑部４１とを有し、
前記硬質部５の接地面３０は前記前部３０Ｆにおいて前記防滑部４１の内側および外側に配置された支持部５０を形成し、かつ、内側および外側の端５０Ｅまで設けられている。
【０００６】
この態様によれば、軟質部４が後端部３０Ｅに設けられており、そのため、トップリフト１が後端部３０Ｅから接地する際に緩衝部４０により衝撃を緩衝することができる。
また、前記軟質部４は硬質部５に比べ変形し易いので、路面に接地した際の摩擦力が大きい。そのため、緩衝部４０および防滑部４１は接地面３０が路面に対し前方等に滑るのを抑制し得る。
一方、硬質部５は軟質部４に比べ変形しにくいので、荷重が負荷された際に圧縮されにくい。そのため、歩行時に硬い硬質部５の支持部５０が内外の端５０Ｅにおいて接地し、細く高いヒール本体が内外に傾くのを抑制し得る。したがって、歩行や立位における安定性が向上する。
したがって、安定感があり、かつ、快適に歩行できる。
【０００７】
本発明において、接地面３０の前部３０Ｆとは接地面３０の前半部の一部又は全部をいう。また、接地面３０の後部３０Ｒとは接地面３０の後半部の一部又は全部をいう。また、接地面３０の後端部３０Ｅとは接地面３０の後端およびその近傍をいう。
【０００８】
本発明において、軟質部４および硬質部５の硬度範囲は特に限定されない。たとえば、トップリフト１の面積が小さい場合、軟質部４としてはＪＩＳＡ硬度で７０°〜９０°程度に設定するのが好ましく、硬質部５としてはショアーＤ硬度で６０°〜８０°程度に設定するのが好ましい。一方、トップリフト１の面積が大きい場合、たとえば、軟質部４としてＪＩＳＡ硬度で８０°を採用し、硬質部５としてＪＩＳＡ硬度で９０°を採用してもよい。
【０００９】
なお、本発明において、樹脂とは広義の熱可塑性樹脂の意味であり、熱可塑性エラストマーを含みたとえばポリウレタン樹脂を採用することができる。
【図面の簡単な説明】
【００１０】
【図１】図１Ａおよび図１Ｂは本発明の実施例１を示し、各々トップリフトを斜め上方または下方から見た概略斜視図である。
【図２】同トップリフトの概略分解斜視図である。
【図３】図３Ａおよび図３Ｂは各々、同トップリフトの縦断面図および底面図、図３Ｃは実施例２のトップリフトの底面図である。
【図４】図４Ａ〜図４Ｄは、それぞれ、他の例を示すトップリフトの概略底面図である。
【図５】図５Ａ〜図５Ｃは、それぞれ、更に他の例を示すトップリフトの概略底面図、縦断面図および平面図である。
【図６】図６Ａ〜図６Ｄは、それぞれ、更に他の例を示すトップリフトの概略縦断面図、図６Ｅおよび図６Ｆは更に他の例を示すトップリフトの概略縦断面図および底面図である。
【図７】図７Ａ〜図７Ｆは更に他の例を示す概略縦断面図および底面図である。
【発明を実施するための形態】
【００１１】
好ましくは、前記緩衝部４０の幅Ｗ０が前記防滑部４１の幅Ｗ１よりも大きい。
この場合、緩衝部４０の幅Ｗ０が大きいので、前記緩衝性が増大する。
【００１２】
好ましくは、前記リフト本体３の前部３Ｆにおいて、前記防滑部４１よりも上方の中央部３２が前記硬質部５で形成され、かつ、前記中央部３２は前記防滑部４１の上方からリフト本体３の上面３１まで前記硬質部５で形成されている。  
【００１３】
この場合、硬質部５がリフト本体３の前部３Ｆにおいて、足の幅方向Ｄ１の全域にわたって連なる。そのため、トップリフト１の剛性が高まり、歩行の安定性が向上するだろう。
【００１４】
更に好ましくは、前記リフト本体３の上面３１における前記ピン２の周囲が前記硬質部５で形成されるように、前記硬質部５は接地面３０よりも前記上面３１の方が面積が大きい。
【００１５】
この場合、トップリフト１の上面３１から突出するピン２が配置し易く、したがって、トップリフト１の接地面３０の一部である緩衝部４０や防滑部４１の面積を大きくでき、緩衝性や防滑性が高まる。
【００１６】
好ましくは、前記防滑部４１の接地面３０と前記緩衝部４０の接地面３０とが互いに連なっている。
【００１７】
緩衝部４０と防滑部４１とが連なっており、インジェクションによる型成形が容易になる。
【００１８】
好ましくは、前記リフト本体３の前部３Ｆにおいて前記防滑部４１の接地面３０が前後方向Ｄ２に延び、前記リフト本体３の後部３Ｒにおいて前記緩衝部４０の接地面３０は前記前部３Ｆの防滑部４１の後端４１Ｅから足の内側および外側に広がる扇形状に形成されている。
【００１９】
扇形状に形成された緩衝部４０は幅方向Ｄ１に長いので、着地の衝撃を緩衝し易く、また、防滑性を高めるだろう。前後方向Ｄ２に延びる防滑部４１は防滑性を更に高めるだろう。
ここで、扇形とは、円の２本の半径上の直線とその間にある円弧によって囲まれた図形をいうが、本発明において扇形状とは前記円弧に加えて楕円や双曲線などと前記直線に近似した直線ないし曲線とによって囲まれた図形を含み、半円や半楕円なども含まれる。
【００２０】
好ましくは、前記軟質部４は前記後端部３０Ｅにおいて前記接地面３０から上面３１まで延びている。
この場合、軟質部４が厚いので、緩衝性が向上する。
【００２１】
好ましくは、前記緩衝部４０は上方に向かうに従い後方に向かう傾斜面４２を有し、この傾斜面４２を介して前記硬質部５に接している。
この場合、軟質部４と硬質部５との接合面が増大し、軟質部４が硬質部５から剥がれにくくなる。
【００２２】
本発明の別の態様のトップリフト１は、婦人靴のヒール本体に交換可能に固定するためのピン２と、接地面３０を有するリフト本体３とを備えたトップリフト１であって、前記リフト本体３は前記ピン２を設けた樹脂製の硬質部５と、前記硬質部５よりも硬度の小さい樹脂製の軟質部４とを備え、
前記軟質部４は接地面３０の後端部３０Ｅから上方に向かって延びる緩衝部４０を有し、
前記硬質部５は接地面３０の前部３０Ｆにおいて足の内側および外側に配置され、かつ、前記足の内側および外側の端５０Ｅから上方に向かって前記リフト本体３の上面３１まで延びる支持部５０を有し、
リフト本体３の上面３１における前記ピン２の周囲が前記硬質部５で形成されるように、前記硬質部５の前記接地面３０の面積よりも前記硬質部５の前記上面３１の面積の方が大きい。
【００２３】
この態様によれば、接地面３０の後端部３０Ｅから上方に向かって延びる軟質の緩衝部４０が緩衝性を発揮する。
一方、接地面３０の前部３０Ｆにおいて足の内側および外側に配置された硬質の支持部５０は、ヒール本体が内外に傾く（ブレる）のを抑制し、歩行時の安定性を発揮する。
また、硬質部５は接地面３０よりも上面３１の方が面積が大きく、上面３１から突出するピン２を配置し易く、したがって、接地面３０の一部である軟質部４の面積が大きくなって、前記緩衝性が高まると共に防滑性も高まる。
【００２４】
好ましくは、前記緩衝部４０は上方に向かうに従い後方に向かう傾斜面４２を有し、この傾斜面４２を介して前記硬質部５に接している。
この場合、緩衝部４０と路面との接地面積が増大し、緩衝性が向上すると共に、防滑性も向上する。
また、軟質部４と硬質部５とが傾斜面４２で接していることにより両者の接合強度がアップし、軟質部４が硬質部５から剥がれにくくなる。
【００２５】
更に好ましくは、前記硬質部５と前記軟質部４との間において上下方向に延びる界面４２には、前記界面４２の一部が前後方向に突出ないし窪んでいることにより前記軟質部４が前記硬質部５と上下方向に係合するための凸部４３、凹部４４または段部４５が設けられている。
この場合、軟質部４が硬質部５から更に剥がれにくくなる。
【実施例】
【００２６】
以下、本発明の実施例を図面に従って説明する。
なお、各図において、軟質部４の表面には網点を付している。
【００２７】
図１Ａ〜図３Ｂは実施例１のトップリフト１を示す。図１において、トップリフト１はパンプスなどの婦人靴のヒール本体（図示せず）に交換可能に固定するためのピン２と、接地面３０を有するリフト本体３とを備える。なお、ピン２はリフト本体３の上面から上方に向かって突出し、前記ヒール本体の縦孔に固く嵌り込むことで、リフト本体３をヒール本体に固定する。
【００２８】
図２に示すように、前記リフト本体３は前記ピン２を設けた樹脂製の硬質部５と、前記硬質部５よりも硬度の小さい樹脂製の軟質部４とを備える。一般的に、硬度とヤング率は相関性があるとされているので、軟質部４のヤング率は硬質部５のヤング率よりも小さいと云える。したがって、軟質部４は硬質部５に比べ柔軟であると云える。
【００２９】
ピン２の下端部は図１Ａのように硬質部５にインサート成型されて埋設されている。
なお、図１Ｂのように、接地面３０は前部３０Ｆが略方形で、後部３０Ｒが略半円形状である。
【００３０】
図１Ｂにおいて、前記軟質部４は緩衝部４０および防滑部４１を有する。図３Ｂに示すように、前記緩衝部４０は前記接地面３０の後端部３０Ｅにおいて足の幅方向Ｄ１の全域にわたって設けられている。一方、前記防滑部４１は前記接地面３０の前部３０Ｆの前記幅方向Ｄ１の中央に配置され路面に対し接地面３０が滑るのを抑制する。
なお、図３Ａおよび図３Ｂに示すように、防滑部４１の接地面３０には、いわゆる「意匠」と呼ばれる、幅方向Ｄ１に延びる細い溝や凹凸が形成されている方が好ましいが、意匠が設けられていなくても、軟質部材４であれば、硬質部５に比べ変形し易いので、路面に接地した際の摩擦力が大きく、滑るのを抑制し得る。
【００３１】
本実施例の場合、図１Ｂの前記リフト本体３の前部３Ｆの中央において、前記防滑部４１の接地面３０は前後方向Ｄ２にリフト本体３の前端まで延びている。前記リフト本体３の後部３Ｒにおいて、前記緩衝部４０の接地面３０は前記前部３Ｆの防滑部４１の後端４１Ｅから足の内側および外側に広がる扇形状に形成されている。
【００３２】
図３Ｂに示すように、前記硬質部５の接地面３０は前記前部３０Ｆおよび後部３０Ｒの一部において、それぞれ、前記防滑部４１および緩衝部４０の内側および外側に配置された支持部５０を形成する。支持部５０は接地面３０の内側および外側の端５０Ｅまで設けられている。
図１ＡおよびＢに示すように、前記硬質部５は接地面３０の前部３０Ｆにおいて足の内側および外側に配置され、かつ、前記足の内側および外側の端５０Ｅから上方に向かって前記リフト本体３の上面３１まで延びている。
【００３３】
図３Ａにおいて、前記軟質部４の緩衝部４０は前記後端部３０Ｅにおいて前記接地面３０から上面３１まで延びている。前記緩衝部４０は上方に向かうに従い後方に向かう傾斜面４２を有し、この傾斜面４２が硬質部５の傾斜面５２を介して前記硬質部５に接している。
【００３４】
図１Ａの前記リフト本体３の前部３Ｆにおいて、前記防滑部４１よりも上方の中央部３２は前記硬質部５で形成されている。前記中央部３２は前記防滑部４１の上方からリフト本体３の上面３１まで前記硬質部５で形成されている。すなわち、図２の硬質部５にはトンネル状の凹部５３が形成され、硬質部５の横断面が門型となるように、前記一対の支持部５０と中央部３２とが一体に連なっている。
【００３５】
一方、前記軟質部４の傾斜面４２には凸部４３が突設され、凸部４３は前記トンネル状の凹部５３に埋設されて、軟質部４と硬質部５とが上下方向に係合すると共に接合面積が大きくなっている。
【００３６】
図１Ａおよび図１Ｂに示すように、前記リフト本体３の上面３１における前記ピン２の周囲が前記硬質部５で形成されるように、前記硬質部５は接地面３０よりも前記上面３１の方が面積が大きい。すなわち、図３Ａの硬質部５は上方に向かうに従い後方に向かう前記傾斜面５２を有し、この傾斜面５２を介して前記軟質部４に接している。
【００３７】
つぎに、他の実施例について説明する。
以下の実施例においては、前記実施例１と相違する部分について主に図示し説明する。
【００３８】
図３Ｃに示す例では、接地面３０において緩衝部４０は半円形状ないし半楕円形状である。
【００３９】
図４Ａに示す例では、防滑部４１は内外に分かれている。
【００４０】
前記各例においては、前記記防滑部４１の接地面３０と前記緩衝部４０の接地面３０とが互いに連なっていたが、図４Ｂ、図６Ｂおよび図６Ｃに示す例では、接地面３０において防滑部４１と緩衝部４０とは前後に分かれている。
【００４１】
前記各例では防滑部４１が接地面３０の前端まで延びていたが、図４Ｃに示すように、防滑部４１は前部３０Ｆの少なくとも一部に設けられていればよい。
【００４２】
前記各例では前記緩衝部４０の幅Ｗ０が前記防滑部４１の幅Ｗ１よりも大きいが、図４Ｄに示す例では、緩衝部４０の幅Ｗ０と防滑部４１の幅Ｗ１とは同じである。この場合においても、軟質部４は接地面３０の後端部３０Ｅにおいて足の幅方向Ｄ１の全域にわたって設けられている。
【００４３】
また、図５Ａに示すように、防滑部４１は前方に向かって先窄まりであってもよいし、逆に、拡がっていてもよい。
【００４４】
また、図５Ａ〜図５Ｃに示す例では、緩衝部４０の幅Ｗ０は接地面３０よりも上面３１の方が大きい。
【００４５】
また、以上の例では緩衝部４０は接地面３０から上面３１まで延びていたが、図６Ａに示す例では、緩衝部４０は上面３１まで延びておらず、上面３１の全域が硬質部５で形成されている。
【００４６】
また、図６Ｃに示す例では、軟質部４の緩衝部４０と防滑部４１とが前後に分離されている。
【００４７】
図２の実施例では長い凸部４３が凹部５３に係合していたが、図６Ｅや図６Ｄの例では、前記傾斜面４２には軟質部４が前記硬質部５と上下方向に係合するための凸部４３、凹部４４または段部４５が設けられている。また、これらの凸部４３等は、硬質部５と前記軟質部４との間において上下方向に延びる（傾斜していなくてもよい）界面４２に設けられていればよく、前記凸部４３等は前後方向に突出ないし窪んでいることにより、軟質部４が前記硬質部５と上下方向に係合する。
【００４８】
また、本発明の第２の態様においては、図６Ｄ、図６Ｅおよび図６Ｆに示すように、後部３Ｒにのみ軟質部４が設けられる。つまり、これらの例では緩衝部４０が後部３Ｒに設けられ、前部３Ｆには軟質部４は設けられていない。
【００４９】
図７Ａおよび図７Ｂの例では、軟質部４の上に硬質部５が配置されており、前記軟質部４は概ね一定の厚さに形成されている。
【００５０】
図７Ｃおよび図７Ｄの例では、軟質部４が前端まで延びておらず、また、軟質部４が後端において上面３１まで延びていない。
【００５１】
図７Ｅおよび図７Ｆの例では、軟質部４の殆どが後半部に設けられている。  
【産業上の利用可能性】
【００５２】
本発明は婦人靴のヒールに利用することができる。
【符号の説明】
【００５３】
１：トップリフト
２：ピン
３：リフト本体  ３Ｆ：前部  ３Ｒ：後部  ３０：接地面  ３０Ｅ：後端部  ３０Ｆ：前部  
３０Ｒ：後部  ３１：上面  ３２：中央部
４：軟質部  ４０：緩衝部  ４１：防滑部  ４１Ｅ：後端  ４２：傾斜面  ４３：凸部４４：凹部  ４５：段部
５：硬質部  ５０：支持部  ５０Ｅ：端  ５２：傾斜面  ５３：凹部
Ｄ１：幅方向  Ｄ２：前後方向  Ｗ０，Ｗ１：幅
【図１】
2014158538.tif 000003
【図２】
2014158538.tif 000004
【図３】
2014158538.tif 000005
【図４】
2014158538.tif 000006
【図５】
2014158538.tif 000007
【図６】
2014158538.tif 000008
【図７】
2014158538.tif 000009